【手続補正書】
【提出日】平成24年9月21日(2012.9.21)
【手続補正１】
【補正対象書類名】明細書
【補正対象項目名】０００８
【補正方法】変更
【補正の内容】
【０００８】
前記課題を解決するため、本発明の位置検出装置の一態様は、互いに離間して配置されるとともに、任意の入力位置における磁気を個別に検出する複数の磁気センサと、隣接する一組の前記磁気センサによってそれぞれ区画される複数の領域の中で、該領域を区画する前記一組の磁気センサの検出値の総和が最大である領域を、前記入力位置が含まれる特定領域として判定する判定手段と、前記領域判定手段により判定された前記特定領域を区画する前記一組の磁気センサのうちで検出値が最大である特定の前記磁気センサの位置と、前記特定領域を区画する前記一組の磁気センサの検出値とに基づいて前記入力位置を算出する算出手段と、を備えた、ことを特徴とする。
【手続補正２】
【補正対象書類名】明細書
【補正対象項目名】０００９
【補正方法】変更
【補正の内容】
【０００９】
前記課題を解決するため、本発明の位置検出機能付き表示装置の一態様は、二次元情報を表示する表示素子と、互いに離間して配置されるとともに、前記表示素子を介して任意の入力位置における磁気を個別に検出する複数の磁気センサと、隣接する一組の磁気センサによってそれぞれ区画される複数の領域の中で、該領域を区画する前記一組の磁気センサの検出値の総和が最大である領域を、前記入力位置が含まれる特定領域として判定する判定手段と、前記領域判定手段により判定された前記特定領域を区画する前記一組の磁気センサのうちで検出値が最大である特定の磁気センサの位置と、前記特定領域を区画する前記一組の磁気センサの前記検出値と、に基づいて前記入力位置を算出する算出手段と、前記算出手段により算出された入力位置に応じて前記表示素子における二次元情報の表示動作を制御する制御手段と、を備えた、ことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
【図１】本発明の各実施形態に共通する入力パネル付き表示装置の断面図である。
【図２】ホール素子の説明図である。
【図３】入力パネルの回路構成、及び入力パネル付き表示装置における要部の電気的構成を示すブロック図である。
【図４】ホール素子に対する駆動電圧の供給タイミングと、ホール素子からのホール出力電圧の検出タイミングと、を示したタイミングチャートである。
【図５】第１の実施形態における制御部の処理内容を示すフローチャートである。
【図６】制御部によるタッチ領域判定処理を示すフローチャートである。
【図７】各実施形態に共通する入力パネル付き表示装置の平面図、及び正面図である。
【図８】第１の実施形態において入力位置の座標算出に使用される、タッチ領域別の検出値を示す説明図である。
【図９】第１の実施形態における検出位置の具体例を示した図である。
【図１０】（ａ）は第１の実施形態において表現可能な軌跡線の太さを便宜的に示した図、（ｂ）は従来技術において表現可能な軌跡線の太さを便宜的に示した図である。
【図１１】第２の実施形態における検出位置の計算手法を示す説明図である。
【図１２】第２の実施形態における制御部の処理内容を示すフローチャートである。
【図１３】第２の実施形態における検出位置の具体例を示した図である。
【図１４】第２の実施形態において表現可能な軌跡線の太さを便宜的に示した、図１０（ａ）に対応する図である。
【手続補正８】
【補正対象書類名】明細書
【補正対象項目名】００１７
【補正方法】変更
【補正の内容】
【００１７】
入力パネル付き表示装置１は、文字や画像等を表示するＬＣＭ（Liquid Crystal panel Module：液晶パネルモジュール）１１と、ＬＣＭ１１の裏側面に順に配置された面光源３１と、入力パネル４１と、を備えている。
【手続補正９】
【補正対象書類名】明細書
【補正対象項目名】００１８
【補正方法】変更
【補正の内容】
【００１８】
ＬＣＭ１１は透過型であって、シール材１２を介して接合された表面側と裏面側との２枚の透明なガラス基板１３，１４と、双方のガラス基板１３，１４間に封入された液晶からなる液晶層１５と、双方のガラス基板１３，１４の外側面にそれぞれ貼着された偏光板１６，１７と、を有している。
【手続補正１０】
【補正対象書類名】明細書
【補正対象項目名】００２０
【補正方法】変更
【補正の内容】
【００２０】
２枚のガラス基板１３，１４には、図示しないが画素電極１８及びコモン電極２１を覆う一対の配向膜がそれぞれ設けられており、液晶層１５の液晶分子は一対の配向膜により規定される配向状態に配向している。
【手続補正１１】
【補正対象書類名】明細書
【補正対象項目名】００２２
【補正方法】変更
【補正の内容】
【００２２】
入力パネル４１は、永久磁石からなるペン先１０１ａを有する磁石ペン１０１により指示された、ＬＣＭ１１の表示画面に対する任意の入力位置を検出するためのものであり、絶縁性基板４２上に複数のホール素子４３が設けられた構造を有している。なお、磁石ペン１０１は、先端部に磁場を生じさせるものであれば、例えば直流磁場または交流磁場を発生するコイルを備えた電磁ペンであっても構わない。
【手続補正１２】
【補正対象書類名】明細書
【補正対象項目名】００４７
【補正方法】変更
【補正の内容】
【００４７】
そして、制御部５３は、左に位置するセンサＰ（ｍ−１，ｎ）の検出値Ａ（ｍ−１，ｎ）が、右に位置するセンサＰ（ｍ＋１，ｎ）の検出値Ａ（ｍ＋１，ｎ）よりも小さければ（ステップＳＡ１０１：ＹＥＳ）、さらに、特定のセンサＰ（ｍ，ｎ）の上に位置するセンサＰ（ｍ，ｎ−１）の検出値Ａ（ｍ，ｎ−１）が、特定のセンサＰ（ｍ，ｎ）の下に位置するセンサＰ（ｍ，ｎ＋１）の検出値Ａ（ｍ，ｎ＋１）よりも小さいか否かを確認する（ステップＳＡ１０２）。
【手続補正１３】
【補正対象書類名】特許請求の範囲
【補正対象項目名】全文
【補正方法】変更
【補正の内容】
【特許請求の範囲】
【請求項１】
互いに離間して配置されるとともに、任意の入力位置における磁気を個別に検出する複数の磁気センサと、
隣接する一組の前記磁気センサによってそれぞれ区画される複数の領域の中で、該領域を区画する前記一組の磁気センサの検出値の総和が最大である領域を、前記入力位置が含まれる特定領域として判定する判定手段と、
前記領域判定手段により判定された前記特定領域を区画する前記一組の磁気センサのうちで検出値が最大である特定の前記磁気センサの位置と、前記特定領域を区画する前記一組の磁気センサの検出値とに基づいて前記入力位置を算出する算出手段と、
を備えた、
ことを特徴とする位置検出装置。
【請求項２】
前記算出手段は、前記特定領域を区画する前記一組の磁気センサの前記検出値のうち、最大の検出値と前記最大の検出値以外の少なくとも１つの検出値とに基づいて、前記入力位置を算出することを特徴とする請求項１記載の位置検出装置。
【請求項３】
前記算出手段は、前記特定領域を区画する前記一組の磁気センサの前記検出値を、前記入力位置の前記特定領域内でのＸＹ座標におけるｘ軸方向、及びｙ軸方向への偏り度合を表す値として使用する計算によって、前記入力位置を算出することを特徴とする請求項２記載の位置検出装置。
【請求項４】
前記算出手段は、前記特定領域を区画する前記一組の磁気センサにおける前記入力位置からの距離に対応する検出値の変化特性に基づいた計算式を用いて前記入力位置を算出することを特徴とする請求項３記載の位置検出装置。
【請求項５】
前記算出手段は、前記特定領域を区画する前記一組の磁気センサにおける各々の前記検出値が、各々の前記磁気センサと前記入力位置との間の距離に比例して変化することを前提とした計算式を用いて前記入力位置を算出することを特徴とする請求項３記載の位置検出装置。
【請求項６】
二次元情報を表示する表示素子と、
互いに離間して配置されるとともに、前記表示素子を介して任意の入力位置における磁気を個別に検出する複数の磁気センサと、
隣接する一組の磁気センサによってそれぞれ区画される複数の領域の中で、該領域を区画する前記一組の磁気センサの検出値の総和が最大である領域を、前記入力位置が含まれる特定領域として判定する判定手段と、
前記領域判定手段により判定された前記特定領域を区画する前記一組の磁気センサのうちで検出値が最大である特定の磁気センサの位置と、前記特定領域を区画する前記一組の磁気センサの前記検出値と、に基づいて前記入力位置を算出する算出手段と、
前記算出手段により算出された入力位置に応じて前記表示素子における二次元情報の表示動作を制御する制御手段と、
を備えた、
ことを特徴とする位置検出機能付き表示装置。